(57)【特許請求の範囲】
【請求項１】
表面側積層フィルムと裏面側積層フィルムのシーラント層同士が対向された状態で、周囲の所定幅を熱溶着されることにより熱溶着部が形成され、上部側に易開封手段を有する包装袋において、
上記表面側積層フィルムの上記易開封手段は、
上記表面側積層フィルムにおいて、当該包装袋の左右外縁より始まり中央部が上方に膨れる上側凸状切目線とから構成される左右対称形状の全体として連続する上部切目線と、
上記上部切目線の下側において、当該包装袋の左右外縁より始まり中央部が下方に膨れる下側凹状切目線とから構成される左右対称形状の全体として連続する下部切目線により構成され、
上記上部切目線と上記下部切目線との間において、両端部が上記上側凸状切目線の左右対称の線路途中の両端部位置に下側から近接すると共に、上記両端部から下方に膨れる凹状誘導切目線が設けられ、
上記包装袋の左右外縁における上記上部切目線と上記下部切目線の間に切込部が各々形成され、
上記裏面側積層フィルムの易開封手段は、
左右の上記切込部の下側水準位置の上記左右外縁から始まり、上記切込部の上側水準位置まで上り傾斜で形成され、左右の上記切込部の内側端に接近する左右対称の裏面側上向切目線と、上記裏面側上向切目線を結ぶ裏面側中央部切目線とからなる裏面側切目線とから構成され、
上記裏面側中央部切目線は上記表面側積層フィルムの上記上側凸状切目線と上記下側凹状切目線の間に位置しており、
上記表面側積層フィルムの上記凹状誘導切目線の中央部分は、上記裏面側積層フィルムの上記裏面側中央部切目線より下側に位置しているものである包装袋。
【請求項２】
上記凹状誘導切目線は、上記中央部分は１本の切目線であるが、上記中央部分の左右の線路途中の両端部分から複数本に枝分れすることにより、上記両端部分から左右に複数本の誘導切目線が形成されており、
左右の複数本の上記誘導切目線の各両端部が、上記上側凸状切目線の線路途中の異なる両端部位置に下側から近接しているものである請求項１記載の包装袋。
【請求項３】
上記凹状誘導切目線の上記誘導切目線の枝分かれの本数は、左右各２本である請求項２記載の包装袋。
【請求項４】
表面側積層フィルムと裏面側積層フィルムのシーラント層同士が対向された状態で、周囲の所定幅を熱溶着されることにより熱溶着部が形成され、上部側に易開封手段を有する包装袋において、
上記表面側積層フィルムの上記易開封手段は、
上記表面側積層フィルムにおいて、当該包装袋の左右外縁より始まり中央部が上方に膨れる上側凸状切目線とから構成される左右対称形状の全体として連続する上部切目線と、
上記上部切目線の下側において、当該包装袋の左右外縁より始まり中央部が下方に膨れる下側凹状切目線とから構成される左右対称形状の全体として連続する下部切目線により構成され、
上記上部切目線と上記下部切目線との間において、両端部が上記下側凹状切目線の左右対称の線路途中の両端部位置に上側から近接すると共に、上記両端部から上方に膨れる凸状誘導切目線が設けられ、
上記包装袋の左右外縁における上記上部切目線と上記下部切目線の間に切込部が各々形成され、
上記裏面側積層フィルムの易開封手段は、
左右の上記切込部の下側水準位置の上記左右外縁から始まり、上記切込部の上側水準位置まで上り傾斜で形成され、左右の上記切込部の内側端に接近する左右対称の裏面側上向切目線と、上記裏面側上向切目線を結ぶ裏面側中央部切目線とからなる裏面側切目線とから構成され、
上記裏面側中央部切目線は、上記表面側積層フィルムの上記上側凸状切目線と上記下側凹状切目線との間に位置しており、
上記表面側積層フィルムの上記凸状誘導切目線の中央部分は、上記裏面側積層フィルムの上記裏面側中央部切目線より上側に位置しているものである包装袋。
【請求項５】
上記凸状誘導切目線は、上記中央部分は１本の切目線であるが、上記中央部分の左右の線路途中の両端部分から複数本に枝分れすることにより、上記両端部分から左右に複数本の誘導切目線が形成されており、
左右の複数本の上記誘導切目線の各両端部が、上記下側凹状切目線の線路途中の異なる両端部位置に上側から近接しているものである請求項４記載の包装袋。
【請求項６】
上記凸状誘導切目線の上記誘導切目線の枝分かれの本数は、左右各２本である請求項５記載の包装袋。
【請求項７】
上記裏面側積層フィルムにおいて、左右の上記切込部の内側端と左右の上記裏面側上向切目線との上記接近に代えて、上記切込部の内側端を内側に各々延長し、左右の上記内側端が左右の上記裏面側上向切目線の線路途中に各々接している請求項１又は４記載の包装袋。
【請求項８】
上記裏面側積層フィルムの上記裏面側中央部切目線は、左右の上記裏面側上向切目線を結ぶ直線状の裏面側直線状切目線である請求項１〜７の何れかに記載の包装袋。
【請求項９】
上記上部切目線は、左右の上記熱溶着部の左右外縁の同一高さより始まり、左右の上記熱溶着部の幅より内側に入った位置における左右の上部変曲部まで、上方から下方に向けて下り傾斜に形成された左右対称の下向傾斜切目線と、左右の上記上部変曲部から左右端部が左右の上記下向傾斜切目線に連続する上記上側凸状切目線とから構成される、全体として連続する１本の左右対称の切目線により構成され、
上記下部切目線は、左右の上記熱溶着部の左右外縁の同一高さより始まり、左右の上記熱溶着部の幅より内側に入った位置における左右の下部変曲部まで、下方から上方に向けて上り傾斜に形成された左右対称の上向傾斜切目線と、左右の上記下部変曲部から左右端部が左右の上記上向傾斜切目線に連続する上記下側凹状切目線とから構成される、全体として連続する１本の左右対称の切目線により構成されているものである請求項１〜８の何れかに記載の包装袋。
【請求項１０】
左右の上記上部変曲部と上記下部変曲部の間に、互いに内側に開口する横向きＶ字型のＶ字誘導切目線が、上記上部切目線と上記下部切目線に接触しない状態で各々設けられているものである請求項９記載の包装袋。
【請求項１１】
上記易開封手段の下側に再封手段を設けたものである請求項１〜１０の何れかに記載の包装袋。
【発明の詳細な説明】
【技術分野】
【０００１】
本発明は、製袋時のフィルムの配向、力のかかり具合等を考慮して、より確実に段差を生じることのできる段差カット可能な包装袋に関する。
【背景技術】
【０００２】
従来、例えば、外層にポリエチレンテレフタレート（ＰＥＴ）フィルム、中間層にアルミ箔、内層のシーラント層としてポリエチレン（ＰＥ）フィルムからなる積層フィルムを用い、例えば２枚の積層フィルムのシーラント層同士を熱溶着して形成される積層フィルム（ラミネートフィルム）を用いた包装袋が、各種食品、医薬品等の包装袋として用いられている。
【０００３】
この種の包装袋は、図１７に示すように、上辺の熱溶着部の若干下方に、上辺に沿うレーザーカット線等の易開封切目線（ハーフカット線）４０が形成され、上記易開封切目線４０より上部の辺１’を、上記易開封切目線４０に沿って切り離すことにより、内容物を容易に取り出すことができる構成となっている（例えば、特許文献１参照）。尚、符号４１はノッチである。
【０００４】
また、表面側の積層フィルムに上側の易開封切目線４２と下側の易開封切目線４３が形成されていると共に、裏面側の積層フィルムに直線的な易開封切目線４４（図１７に破線で示す）が形成されており、例えば、左上辺１’を摘まんで手前下側に引くことにより、表面側のフィルムは下側の切目線４３に沿って切断され、裏面側のフィルムは上記切目線４４に沿って切断され、開封部に段差Ｑ１が形成される構成であった。この段差Ｑ１により容易に開封が可能となる。
【先行技術文献】
【特許文献】
【０００５】
【特許文献１】特許第６０８７０１４号公報
【発明の概要】
【発明が解決しようとする課題】
【０００６】
ところで、このような包装袋のフィルムは、外層として用いられる上記ポリエチレンテレフタレート（ＰＥＴ）フィルムは、製袋時は、Ｔダイ法により一定幅のフィルムを形成した後、縦延伸機と横延伸機によって縦横（２軸）に延伸され、図１６に示すように延伸後のフィルムにおいて分子の配向性に偏りが生じる。
【０００７】
即ち、フィルム等の中央部分は、その分子の配向が上下方向に直線的であるので、包装袋のフィルムとして破線ｔ１で切り取ったとしても、配向に偏りが生じないが（中取り）、左右の端部位置において、包装袋のフィルムとして破線ｔ２で切り取った場合（端取り）、分子の配向に偏りが生じる。
【０００８】
この場合、包装袋を開封する場合、例えば図１７に示すように、従来の包装袋の左上辺１’を持って、手前下方向に引いて開封する場合（図１７矢印Ａ方向）、通常は表面側のフィルムは下側の切目線４３、裏面側のフィルムは切目線４４に沿って切断され、上記段差Ｑ１生じることになる。
【０００９】
しかしながら、この場合、表面側フィルムの最外層フィルム（上記ポリエチレンテレフタレート（ＰＥＴ）フィルム）の配向が矢印Ｈ１方向に入っていると、下側の切目線４３に沿って開封しているにも拘わらず、切断線が配向の影響を受け、途中から配向の方向（矢印Ｈ１方向）に上側に切れて、途中から上側の切目線４２に沿って切れる場合がある。
【００１０】
この場合、切っている方向（手前下方）と同じ方向に、表面側フィルムの片４０ａ（図１７の斜線部の片４０ａ）が存在するため、上記片４０ａが抵抗になって切り難くなり、しかも上記片４０ａの存在により、切目線４２の切断線が上下に波打つようになり、明確な段差が形成されないという課題があった。
【００１１】
このような状況は、例えば、包装袋に重い物が入っており、左上辺１’を持った場合に、包装袋が図１８のように矢印Ｙ方向に傾斜した場合において、操作者が手前下（矢印Ａ方向）に切断した場合にも、同様に生じる。
【００１２】
即ち、図１８に示すように、傾斜した状況においては、操作者が、手前下（矢印Ａ方向）に引いて切断しようとすると、手前下（矢印Ａ方向）が、易開封切目線４０と略平行或いは平行より上部熱溶着部の方向（若干上向き、図１８の矢印Ｈ１方向）になるため、手前下に切断しようとすると、上記配向の方向（図１７の矢印Ｈ１方向）と同様に、切断線に上向きの力（図１８、矢印Ｈ１方向）が加わることになり、下側の切目線４３に沿って開封しているにも拘わらず、途中から力の方向に上側に切れて、途中から上側の切目線４２に沿って切れる場合があり、上記と同様の課題があった。
【００１３】
一方、包装袋の左上辺１’を持って、奥側上方に押して開封する場合（図１７、矢印Ｂ参照）にも同様の事象は生じる。左上辺１’を持って奥側上方に押して開封する場合は、通常、表面側は上側の切目線４２、裏面側は切目線４４に沿って切断され、段差Ｑ２生じることになる。
【００１４】
しかしながら、この場合、表面側フィルムの最外層フィルムの配向が矢印Ｈ２方向に入っていると、上側の切目線４２に沿って開封しているにも拘わらず、途中から切断線が配向の影響を受け、配向の方向（Ｈ２方向）に沿って下側に移行し、途中から下側の切目線４３に沿って切れる場合がある。
【００１５】
この場合、切っている方向と同じ方向に、裏面側フィルムの片４０ｂ（図１７の斜線部の片４０ｂ）が存在するため、上記片４０ｂが抵抗になり切り難くなると共に、上記片４０ｂの存在により、裏面側の切目線４４の切断線が上下に波打つようになり、明確な段差Ｑ２が形成されないという課題があった。
【００１６】
本発明は、上記従来の課題に鑑みてなされたものであり、本来の切断すべき切目線（切断線）が、配向或いは力のかかり具合等の影響によってずれたとしても、誘導線（凹状誘導切目線、凸状誘導切目線）を設けることによって、本来のきれいな段差を形成し得る包装袋を提供するものである。
【課題を解決するための手段】
【００１７】
上記の目的を達成するため本発明は、
第１に、表面側積層フィルムと裏面側積層フィルムのシーラント層同士が対向された状態で、周囲の所定幅を熱溶着されることにより熱溶着部が形成され、上部側に易開封手段を有する包装袋において、上記表面側積層フィルムの上記易開封手段は、上記表面側積層フィルムにおいて、当該包装袋の左右外縁より始まり中央部が上方に膨れる上側凸状切目線とから構成される左右対称形状の全体として連続する上部切目線と、上記上部切目線の下側において、当該包装袋の左右外縁より始まり中央部が下方に膨れる下側凹状切目線とから構成される左右対称形状の全体として連続する下部切目線により構成され、上記上部切目線と上記下部切目線との間において、両端部が上記上側凸状切目線の左右対称の線路途中の両端部位置に下側から近接すると共に、上記両端部から下方に膨れる凹状誘導切目線が設けられ、上記包装袋の左右外縁における上記上部切目線と上記下部切目線の間に切込部が各々形成され、上記裏面側積層フィルムの易開封手段は、左右の上記切込部の下側水準位置の上記左右外縁から始まり、上記切込部の上側水準位置まで上り傾斜で形成され、左右の上記切込部の内側端に接近する左右対称の裏面側上向切目線と、上記裏面側上向切目線を結ぶ裏面側中央部切目線とからなる裏面側切目線とから構成され、上記裏面側中央部切目線は上記表面側積層フィルムの上記上側凸状切目線と上記下側凹状切目線の間に位置しており、上記表面側積層フィルムの上記凹状誘導切目線の中央部分は、上記裏面側積層フィルムの上記裏面側中央部切目線より下側に位置しているものである包装袋により構成される。
【００１８】
上記両端部は例えば両端部（１８ａ１，１８ｂ１）をいう。上記上側凸状切目線の左右対称の線路途中の両端部位置とは例えば両端部位置（１４ａ１，１４ｂ１）をいう。従って、包装袋の左の上辺部を手前下方に引いて開封する場合（図６参照）、切断線は、表面側積層フィルム側は下部切目線に沿って開封されるが、斜め上方（矢印Ｈ１方向）の配向の影響により、切断線が上部切目線の上側凸状切目線に移行した際、手前下方に力が入っているので、切断線が、上側凸状切目線の線路途中の両端部位置（１４ａ１）から当該両端部位置に下側から近接する（近接距離は例えば０．１ｍｍ〜１ｍｍ程度の間隔）左側の両端部（例えば端部１８ａ１）に移行し、そのまま凹状誘導切目線に沿って開封され、右側の両端部（例えば端部１８ｂ１）から近接する上側凸状切目線の線路途中の両端部位置（１４ｂ１）に移行し、その後は、上部切目線に沿って右側の外縁まで切断される。裏面側積層フィルムは、左の上辺部を手前下方に引いて開封する場合、切込部は、裏面側上向切目線に接近しているので、裏面側は切込部からの切断線は直ぐに裏面側上向切目線に移行し、配向の影響は受けない。よって、裏面側は裏面側上向切目線から裏面側中央部切目線に移行し、右側は裏面側上向切目線に沿って切断されて右側の外縁まで切断される。このとき、凹状誘導切目線の中央部分は、上記裏面側中央部切目線より下側に位置しているので、上記凹状誘導切目線の中央部分と上記裏面側中央部切目線との間が段差となる。よって、この段差を利用して容易に開口することができる。尚、手前下方に引いて開封する際、引く方向（表面側積層フィルム）に邪魔な片は存在しないので、円滑に開封することができ、きれいな段差を構成することが可能となる。
【００１９】
第２に、上記凹状誘導切目線は、上記中央部分は１本の切目線であるが、上記中央部分の左右の線路途中の両端部分から複数本に枝分れすることにより、上記両端部分から左右に複数本の誘導切目線が形成されており、左右の複数本の上記誘導切目線の各両端部が、上記上側凸状切目線の線路途中の異なる両端部位置に下側から近接しているものである上記第１記載の包装袋により構成される。
【００２０】
上記凹状誘導切目線の中央部分の左右の線路途中の両端部分は例えば両端部分（１８ａ，１８ｂ）をいう。上記両端部分から左右に複数本の誘導切目線は例えば誘導切目線（１８１，１８１）、誘導切目線（１８２，１８２）をいう。上記上側凸状切目線の線路途中の異なる両端部位置とは例えば、誘導切目線（１８１，１８１）の両端部（１８ａ１，１８ｂ１）が近接する両端部位置（１４ａ１，１４ｂ１）、誘導切目線（１８２，１８２）の両端部（１８ａ２，１８ｂ２）が近接する両端部位置（１４ａ２，１４ｂ２）（上記両端部位置１４ａ１，１４ｂ１とは異なる両端部位置１４ａ２，１４ｂ２）をいう。このように構成すると（図６参照）、凹状誘導切目線の左右の線路途中の両端部分から複数本の誘導切目線に枝分かれしており、各誘導切目線の両端部が上側凸状切目線の異なる両端部位置に下側から近接しているので、左側から最初に到来する誘導切目線に移行が失敗したとしても、次に到来する誘導切目線に移行することができ、凹状誘導切目線への移行のチャンスが複数回設けられており、凹状誘導切目線への移行のチャンスを複数回設けることができる。
【００２１】
第３に、上記凹状誘導切目線の上記誘導切目線の枝分かれの本数は、左右各２本である上記第２記載の包装袋により構成される。
【００２２】
このように構成すると、凹状誘導切目線の左右の線路途中の両端部分から２本の誘導切目線に枝分かれしており、各誘導切目線の両端部が上側凸状切目線の異なる両端部位置に下側から近接しているので、左側から最初に到来する誘導切目線に移行が失敗したとしても、次に到来する誘導切目線に移行することができ、凹状誘導切目線への移行のチャンスが２回設けられており、凹状誘導切目線への移行のチャンスを２回設けることができる。
【００２３】
第４に、表面側積層フィルムと裏面側積層フィルムのシーラント層同士が対向された状態で、周囲の所定幅を熱溶着されることにより熱溶着部が形成され、上部側に易開封手段を有する包装袋において、上記表面側積層フィルムの上記易開封手段は、上記表面側積層フィルムにおいて、当該包装袋の左右外縁より始まり中央部が上方に膨れる上側凸状切目線とから構成される左右対称形状の全体として連続する上部切目線と、上記上部切目線の下側において、当該包装袋の左右外縁より始まり中央部が下方に膨れる下側凹状切目線とから構成される左右対称形状の全体として連続する下部切目線により構成され、上記上部切目線と上記下部切目線との間において、両端部が上記下側凹状切目線の左右対称の線路途中の両端部位置に上側から近接すると共に、上記両端部から上方に膨れる凸状誘導切目線が設けられ、上記包装袋の左右外縁における上記上部切目線と上記下部切目線の間に切込部が各々形成され、上記裏面側積層フィルムの易開封手段は、左右の上記切込部の下側水準位置の上記左右外縁から始まり、上記切込部の上側水準位置まで上り傾斜で形成され、左右の上記切込部の内側端に接近する左右対称の裏面側上向切目線と、上記裏面側上向切目線を結ぶ裏面側中央部切目線とからなる裏面側切目線とから構成され、上記裏面側中央部切目線は、上記表面側積層フィルムの上記上側凸状切目線と上記下側凹状切目線との間に位置しており、上記表面側積層フィルムの上記凸状誘導切目線の中央部分は、上記裏面側積層フィルムの上記裏面側中央部切目線より上側に位置しているものである包装袋により構成される。
【００２４】
上記両端部は例えば両端部（２９ａ１，２９ｂ１）をいう。上記下側凹状切目線の左右対称の線路途中の両端部位置とは例えば両端部位置（１７ａ１，１７ｂ１）をいう。従って、包装袋の左の上辺部を奥側上方に押して開封する場合（図１３参照）、切断線は、表面側積層フィルム側は上部切目線に沿って開封されるが、斜め下方（矢印Ｈ２方向）の配向の影響により、切断線が下部切目線の下側凹状切目線に移行した際、奥側上方に力が入っているので、切断線が、下側凹状切目線の線路途中の両端部位置（１７ａ１）から当該両端部位置に上側から近接する（近接距離は例えば０．１ｍｍ〜１ｍｍ程度の間隔）左側の両端部（２９ａ１）に移行し、そのまま凸状誘導切目線に沿って開封され、右側の両端部（端部２９ｂ１）から近接する下側凹状切目線の線路途中の両端部位置（１７ｂ１）に移行し、その後は、下部切目線に沿って右側の外縁まで切断される。裏面側積層フィルムは、左の上辺部を奥側上方に押して開封する場合、切込部は、裏面側上向切目線に接近しているので、裏面側は切込部からの切断線は直ぐに裏面側上向切目線に移行し、配向の影響は受けない。よって、裏面側は裏面側上向切目線から裏面側中央部切目線に移行し、右側は裏面側上向切目線に沿って切断されて右側の外縁まで切断される。このとき、凸状誘導切目線の中央部分は、上記裏面側中央部切目線より上側に位置しているので、上記凸状誘導切目線の中央部分と上記裏面側中央部切目線との間が段差となる。よって、この段差を利用して容易に開口することができる。尚、奥側上方に押して開封する際、押す方向（裏面側積層フィルム）に邪魔な片は存在しないので、円滑に開封することができ、きれいな段差を構成することが可能となる。
【００２５】
第５に、上記凸状誘導切目線は、上記中央部分は１本の切目線であるが、上記中央部分の左右の線路途中の両端部分から複数本に枝分れすることにより、上記両端部分から左右に複数本の誘導切目線が形成されており、左右の複数本の誘導切目線の各両端部が、上記下側凹状切目線の線路途中の異なる両端部位置に上側から近接しているものである上記第４記載の包装袋により構成される。
【００２６】
上記凸状誘導切目線の中央部分の左右の線路途中の両端部分は例えば両端部分（２９ａ，２９ｂ）をいう。上記両端部分から左右に複数本の誘導切目線は例えば誘導切目線（２９１，２９１）、誘導切目線（２９２，２９２）をいう。上記上側凸状切目線の線路途中の異なる両端部位置とは例えば、誘導切目線（２９１，２９１）の両端部（２９ａ１，２９ｂ１）が近接する両端部位置（１７ａ１，１７ｂ１）、誘導切目線（２９２，２９２）の両端部（２９ａ２，２９ｂ２）が近接する両端部位置（１７ａ２，１７ｂ２）（上記両端部位置１７ａ１，１７ｂ１とは異なる両端部位置１７ａ２，１７ｂ２）をいう。このように構成すると、凸状誘導切目線の左右の線路途中から複数本の誘導切目線に枝分かれしており、各誘導切目線の端部が下側凹状切目線に近接しているので、左側から最初に到来する誘導切目線に移行が失敗したとしても、次に到来する誘導切目線に移行することができ、凸状誘導切目線への移行のチャンスが複数回設けられており、凸状誘導切目線への移行のチャンスを複数回設けることができる。
【００２７】
第６に、上記凸状誘導切目線の上記誘導切目線の枝分かれの本数は、左右各２本である上記第５記載の包装袋により構成される。
【００２８】
このように構成すると、凸状誘導切目線の左右の線路途中から２本の誘導切目線に枝分かれしており、各誘導切目線の端部が下側凹状切目線に近接しているので、左側から最初に到来する誘導切目線に移行が失敗したとしても、次に到来する誘導切目線に移行することができ、凸状誘導切目線への移行のチャンスが２回設けられており、凸状誘導切目線への移行のチャンスを２回設けることができる。
【００２９】
第７に、上記裏面側積層フィルムにおいて、左右の上記切込部の内側端と左右の上記裏面側上向切目線との上記接近に代えて、上記切込部の内側端を内側に各々延長し、左右の上記内側端が左右の上記裏面側上向切目線の線路途中に各々接している上記１又は４記載の包装袋により構成される。
【００３０】
このように構成すると、上記切込部からの切断線は、配向の方向に拘わらず、必ず裏面側上向切目線に到達するので、裏面側は配向の影響を受けないように構成することができる。
【００３１】
第８に、上記裏面側積層フィルムの上記裏面側中央部切目線は、左右の上記裏面側上向切目線を結ぶ直線状の裏面側直線状切目線である上記第１〜７の何れかに記載の包装袋により構成される。
【００３２】
このように構成すると、裏面側は直線状の裏面側直線状切目線なので、これに対応する表面側の凹状誘導切目線（図６参照）又は凸状誘導切目線（図１３参照）により、上辺部を切り離した後、幅の広い段差を構成することができる。
【００３３】
第９に、上記上部切目線は、左右の上記熱溶着部の左右外縁の同一高さより始まり、左右の上記熱溶着部の幅より内側に入った位置における左右の上部変曲部まで、上方から下方に向けて下り傾斜に形成された左右対称の下向傾斜切目線と、左右の上記上部変曲部から左右端部が左右の上記下向傾斜切目線に連続する上記上側凸状切目線とから構成される、全体として連続する１本の左右対称の切目線により構成され、上記下部切目線は、左右の上記熱溶着部の左右外縁の同一高さより始まり、左右の上記熱溶着部の幅より内側に入った位置における左右の下部変曲部まで、下方から上方に向けて上り傾斜に形成された左右対称の上向傾斜切目線と、左右の上記下部変曲部から左右端部が左右の上記上向傾斜切目線に連続する上記下側凹状切目線とから構成される、全体として連続する１本の左右対称の切目線により構成されているものである上記第１〜８の何れかに記載の包装袋により構成される。
【００３４】
上記下向傾斜切目線は、例えば下向傾斜切目線（１３ａ，１３ｂ）をいう。上記上向傾斜切目線は、例えば上向傾斜切目線（１６ａ，１６ｂ）をいう。このように構成すると、左右の外縁には、下り傾斜の下向傾斜切目線（上側両端部切目線）と、上り傾斜の上向傾斜切目線（下側両端部切目線）により構成されるので、上下の両端部切目線の間隔が広くなり、例えばその中間位置に切込部を形成し易くなる、という利点がある。
【００３５】
第１０に、左右の上記上部変曲部と上記下部変曲部の間に、互いに内側に開口する横向きＶ字型のＶ字誘導切目線が、上記上部切目線と上記下部切目線に接触しない状態で各々設けられているものである上記第９記載の包装袋により構成される。
【００３６】
このように構成すると、切断線が切目線からずれたとしても、Ｖ字誘導切目線により、上部切目線又は下部切目線に切断線を誘導することができるという利点がある。
【００３７】
第１１に、上記易開封手段の下側に再封手段を設けたものである上記第１〜９の何れかに記載の包装袋により構成される。
【００３８】
このように構成すると、易開封手段により開封後、再封手段により再度開閉可能であるため、当初の開封時にきれいな段部を形成しておけば、開封の度に、容易に開封することが可能となる。
【発明の効果】
【００３９】
本発明によれば、包装袋の左の上辺部を手前下方に引いて開封する場合（本来、下部切目線の下側凹状切目線に沿って切断する）、力の入る方向とは逆方向に配向が入っている場合（図６参照）、或いは配向とは関係なく、包装袋の内容物が重く、包装袋の左端部を持ったとき、包装袋が左方向に傾いた場合、切断線が上部切目線の上側凸状切目線に移行するが、切断線を途中から、凹状誘導切目線に沿って開封することにより、凹状誘導切目線の中央部分は、上記裏面側中央部切目線より下側に位置しているので、上記凹状誘導切目線の中央部分と上記裏面側中央部切目線との間が段差となる。よって、この段差を利用して容易に開口することができる。尚、手前下方に引いて開封する際、引く方向（表面側積層フィルム）に邪魔な片は存在しないので、円滑に開封することができ、きれいな段差を構成することが可能となる。
【００４０】
また、凹状誘導切目線の左右の線路途中の両端部分から複数本の誘導切目線に枝分かれしており、各誘導切目線の端部が上側凸状切目線に近接しているので、左側から最初に到来する誘導切目線に移行が失敗したとしても、次に到来する誘導切目線に移行することができ、凹状誘導切目線への移行のチャンスが複数回（例えば２回）設けられており、凹状誘導切目線への移行のチャンスを複数回設けることができる。
【００４１】
また、包装袋の左の上辺部を奥側上方に押して開封する場合（本来、上部切目線の上側凸状切目線に沿って切断する）、力の入る方向とは逆方向に配向が入っている場合（図１３参照）、切断線を途中から、凸状誘導切目線に沿って開封することにより、凸状誘導切目線の中央部分は、上記裏面側中央部切目線より上側に位置しているので、上記凸状誘導切目線の中央部分と上記裏面側中央部切目線との間が段差となる。よって、この段差を利用して容易に開口することができる。尚、奥側上方に押して開封する際、押す方向（裏面側積層フィルム）に邪魔な片は存在しないので、円滑に開封することができ、きれいな段差を構成することが可能となる。
【００４２】
また、凸状誘導切目線の左右の線路途中の両端部分から複数本の誘導切目線に枝分かれしており、各誘導切目線の端部が下側凹状切目線に近接しているので、左側から最初に到来する誘導切目線に移行が失敗したとしても、次に到来する誘導切目線に移行することができ、凸状誘導切目線への移行のチャンスが複数回（例えば２回）設けられており、凸状誘導切目線への移行のチャンスを複数回設けることができる。
【００４３】
また、上記切込部からの切断線の内側端は裏面側上向切目線の線路途中に接しているので、裏面側は配向の方向に拘わらず、切断線は必ず裏面側上向切目線に到達するので、裏面側は配向の影響を受けないように構成することができる。
【００４４】
また、裏面側は直線状の裏面側直線状切目線なので、これに対応する表面側の凹状誘導切目線又は凸状誘導切目線により、上辺部を切り離した後、幅の広い段差を構成することができる。
【００４５】
また、左右の外縁には、下り傾斜の上側両端部切目線と、上り傾斜の下側両端部切目線により構成されるので、上下の両端部切目線の間隔が広くなり、例えばその中間位置に切込部を形成し易くなる、という利点がある。
【００４６】
また、切断線が切目線からずれたとしても、Ｖ字誘導切目線により、上部切目線又は下部切目線に切断線を誘導することができるという利点がある。
【００４７】
また、易開封手段により開封後、再封手段により再度開閉可能であるため、当初の開封時にきれいな段部を形成しておけば、開封の度に、容易に開封することが可能となる。
【図面の簡単な説明】
【００４８】
【図１】本発明に係る包装袋の第１の実施形態の一部正面図である。
【図２】同上包装袋の一部裏面図である。
【図３】同上包装袋の易開封手段を拡大した一部正面図である。
【図４】同上包装袋の易開封手段の左側をさらに拡大した一部正面図である。
【図５】同上包装袋の上辺部を切断した開封状態を示す一部正面図である。
【図６】同上包装袋の上辺部を切断した開封状態を示す一部正面図である。
【図７】同上包装袋の上辺部を切断した開封状態を示す一部正面図である。
【図８】同上包装袋の第２の実施形態の一部正面図である。
【図９】同上第２の実施形態の包装袋の一部裏面図である。
【図１０】同上第２の実施形態の包装袋の易開封手段を拡大した一部正面図である。
【図１１】同上第２の実施形態の包装袋の易開封手段左側をさらに拡大した一部正面図である。
【図１２】同上第２の実施形態の包装袋の上辺部を切断した開封状態を示す一部正面図である。
【図１３】同上第２の実施形態の包装袋の上辺部を切断した開封状態を示す一部正面図である。
【図１４】同上第２の実施形態の包装袋の上辺部を切断した開封状態を示す一部正面図である。
【図１５】同上包装袋の正面図である。
【図１６】同上包装袋に使用するフィルムの配向を示す図である。
【図１７】従来の包装袋の配向の影響を示す説明図である。
【図１８】従来の包装袋の傾斜状況を示す説明図である。
【発明を実施するための形態】
【００４９】
以下、本発明に係る包装袋について詳細に説明する。
【００５０】
（第１の実施形態）
図１、図２、図１５は、上記包装袋１を示すものであり、図１、図１５は包装袋１の表面側積層フィルム２、図２は包装袋の裏面側積層フィルム３を示す。
【００５１】
本件発明の包装袋１は、表面側積層フィルム２と裏面側積層フィルム３の内側のシーラント層同士を対向し、周囲の所定幅を熱溶着することにより形成され、これにより、一定幅（所定幅）Ｔ１の左側熱溶着部４、右側熱溶着部５、上側熱溶着部６、下側熱溶着部７（図１５参照）が形成され、内部空間に内容物が収納される。
【００５２】
尚、表面側積層フィルム２を図示した図１、図１５において、紙面に向かって左右を「左右方向」、左右方向を基準に上下を「上下方向」と定義する。従って、裏面側積層フィルム３を図示した図２においては「左右方向」だけ図１と逆になる。また、左右外縁４ａ，５ａより包装袋１の中央部方向を「内側」、中央部（中心線Ｐ参照）から左又は右の方向を「外側」と表現する。よって、表面側積層フィルム２においても、裏面側積層フィルム３においても、左外縁４ａから中央部方向を「内側」、右外縁５ａから中央部方向を「内側」という。また、表面側積層フィルム２を「表面側」、裏面側積層フィルム３を「裏面側」ともいう。
【００５３】
また、以下の説明において「切目線」とは、表面側積層フィルム２又は裏面側積層フィルム３の表面に、厚さ方向に貫通しない一定の深さで、レーザー加工により形成された切目線（所謂ハーフカット線）をいう。従って、この切目線は、例えば表面側積層フィルム２又は裏面側積層フィルム３の表面（例えば最外層のポリエチレンテレフタレート（ＰＥＴ）フィルム）厚みのみに、切目線として形成されており、フィルム全体を貫通していない。この切目線に沿って包装袋１の上辺部１’を例えば手前下に引くことにより、当該切目線に沿って表面側積層フィルム２又は裏面側積層フィルム３の上辺部１’を切断し得るものであり（図５〜図７、図１２〜図１４参照）、所謂、開封用誘導線をいう。尚、図１は裏面側の切目線は点線、図２は表面側の切目線は点線にて描いている。
【００５４】
上記包装袋１において、上下の中央部より、上部側に再封手段８が設けられると共に（図１５参照）、上記再封手段８と上辺の熱溶着部（上側熱溶着部６）との間に易開封手段９が形成されている。
【００５５】
また、本発明の包装袋１において、易開封手段９より上側であって、開封時に包装袋から切り取られる片部分を上辺部１’という（図１、図２参照）。
【００５６】
上記再封手段８は、周知の構造であり、包装袋の表面側積層フィルム２の内側に左右方向全体に樹脂製凸条を固定し、裏面側積層フィルム３の内側に上記樹脂製凸条に対応する樹脂製凹溝部材を左右全体に固定し、上記樹脂製凸条を上記樹脂製凹溝に着脱自在とし、これにより開口部を再封止できるようにしたものである。
【００５７】
（表面側積層フィルム２の易開封手段９について）  図１参照
上記表面側積層フィルム２の上記易開封手段９は、以下の構造を有している。
まず、表面側積層フィルム２側の易開封手段９は、１本の上部切目線１０と、該上部切目線１０より下方向に離間した１本の下部切目線１１とにより構成されている。
【００５８】
上記上部切目線１０は、上記表面側積層フィルム２において、当該包装袋１の左右の熱溶着部４，５の左右外縁４ａ，５ａの同一高さより始まり、左右熱溶着部４，５の幅Ｔ１より内側に入った位置における左右の上部変曲部１２ａ，１２ｂまで、上方から下方に向けて下り傾斜に形成された左右対称の下向傾斜切目線（上側両端部切目線）１３ａ，１３ｂと、上記左右の上部変曲部１２ａ，１２ｂから、左右端部が左右の上記下向傾斜切目線１３ａ，１３ｂに連続し、中央部が上方に円弧状に膨れる左右対称の上側凸状切目線１４とから構成される、全体として連続する１本の左右対称の切目線により構成されている。尚、左右対称とは中央線Ｐを中心として左右対称をいう。
【００５９】
上記左右の下向傾斜切目線１３ａ，１３ｂは、図３、図４に示すように、左右熱溶着部４，５の外縁４ａ，５ａから内側方向に向けて下り傾斜直線状に形成されると共に、上記上部変曲部１２ａ，１２ｂにおいて、下向き円弧状に変曲しつつ、さらに上向き円弧状の上記上側凸状切目線１４に滑らかに連続するように構成されている。
【００６０】
上記左右の上部変曲部１２ａ，１２ｂの左右方向の中心位置ａ，ａ’は、左右の熱溶着部４，５の内縁４ｂ，５ｂから内側に各々距離Ｓ，Ｓだけ入った左右位置に形成されており、上記距離Ｓは、上記熱溶着部４，５の幅Ｔ１より若干長い程度とすることが好ましい。何れにしても、上記上部変曲部１２ａ，１２ｂは、左右熱溶着部４，５に近い左右位置に各々設けることが好ましい。
【００６１】
次に、上記下部切目線１１は、上記表面側積層フィルム２において、当該包装袋１の左右の熱溶着部４，５の左右外縁４ａ，５ａの同一高さより始まり、左右熱溶着部４，５の幅Ｔ１より内側に入った位置における左右の下部変曲部１５ａ，１５ｂまで、下方から上方に向けて上り傾斜に形成された左右対称の上向傾斜切目線（下側両端部切目線）１６ａ，１６ｂと、上記左右の下部変曲部１５ａ，１５ｂから、左右端部が上記左右の上向傾斜切目線１６ａ，１６ｂに連続し、中央部が下方に円弧状に膨れる左右対称の下側凹状切目線１７とから構成される、全体として連続する１本の左右対称の切目線により構成されている。尚、左右対称とは中央線Ｐを中心として左右対称をいう。
【００６２】
上記左右の上向傾斜切目線１６ａ，１６ｂは、図３、図４に示すように、左右熱溶着部４，５の外縁４ａ，５ａから内側方向に向けて上向き傾斜直線状に形成されると共に、上記下部変曲部１５ａ，１５ｂにおいて、上向き円弧状に変曲しつつ、さらに下向き円弧状の上記下側凹状切目線１７に滑らかに連続するように構成されている。
【００６３】
即ち、上記上部切目線１０の上記上側凸状切目線１４は、左右両端が上記熱溶着部４，５より内側の左右の上部変曲部１２ａ，１２ｂに至り、上記上部変曲部１２ａ，１２ｂから上記包装袋１の左右外縁４ａ，５ａまで至る下り傾斜の下向傾斜切目線（上側両端部切目線）１３ａ，１３ｂが設けられ、上記下部切目線１１の上記下側凹状切目線１７は、左右両端が上記熱溶着部４，５より内側の左右の下部変曲部１５ａ，１５ｂに至り、上記下部変曲部１５ａ，１５ｂから上記包装袋１の左右外縁４ａ，５ａまで至る上り傾斜の上向傾斜切目線（下側両端部切目線）１６ａ，１６ｂが設けられている。
【００６４】
上記左右の下部変曲部１５ａ，１５ｂの中心位置ａ，ａ’は、左右の熱溶着部４，５の内縁４ｂ，５ｂから内側に各々距離Ｓ，Ｓだけ入った左右位置に形成されており、上記距離Ｓは、上記熱溶着部４，５の幅Ｔ１より若干長い程度とすることが好ましい。従って、上記上部変曲部１２ａ，１２ｂと上記下部変曲部１５ａ，１５ｂとは、表面側積層フィルム２の左右位置において、同一位置に形成されている。何れにしても、上記下部変曲部１５ａ，１５ｂは、上記上部変曲部１２ａ，１２ｂと同様、何れも左右熱溶着部４，５の外縁に近い位置に各々設けることが好ましい。
【００６５】
そして、上記上部切目線１０と上記下部切目線１１とは、上下方向に離間して互いに決して接触しないように構成すると共に、上下部切目線１０，１１の離間距離は、左側の上記上部変曲部１２ａと１５ａ間、上記右側の上記上部変曲部１２ｂと１５ｂ間が最少の離間距離Ｍとなるように構成している（図４参照）。
【００６６】
具体的には、上記上部変曲部１２ａ，１２ｂと下部変曲部１５ａ，１５ｂとの離間距離Ｍは、左右何れも１ｍｍ〜５ｍｍ、好ましくは、２ｍｍ〜５ｍｍとする。勿論、左右の離間距離Ｍは同一とする。
【００６７】
上記上部切目線１０と上記下部切目線１１との間において（図３参照）、両端部１８ａ１，１８ｂ１、両端部１８ａ２，１８ｂ２（左側の端部１８ａ１，１８ａ２、右側の端部１８ｂ１，１８ｂ２）が、上記上側凸状切目線１４の左右対称の線路途中の両端部位置１４ａ１，１４ｂ１、左右対称の線路途中の両端部位置１４ａ２，１４ｂ２（左側の線路途中の端部位置１４ａ１，１４ａ２、右側の線路途中の端部位置１４ｂ１，１４ｂ２）に各々下側から近接すると共に、外側の上記両端部１８ａ１，１８ｂ１、内側の上記両端部１８ａ２，１８ｂ２から下方に円弧状に膨れる凹状誘導切目線１８が設けられている。尚、上記凹状誘導切目線１８は、全体として上記上部切目線１０と上記下部切目線１１の間に形成されている。
【００６８】
上記凹状誘導切目線１８は、中央部分１８’は１本の下方向きの円弧状の切目線であるが、左右の線路途中の両端部分１８ａ，１８ｂから左右の外側部分は、片側２本ずつ（両側で４本）に枝分かれしており、その内の左右の外側の誘導切目線１８１，１８１は、上記中央部分１８’の下側凹状の円弧の曲率に連続するように、広い曲率半径にて、外側の上記両端部１８ａ１，１８ｂ１に至っており、その内の左右の内側の誘導切目線１８２，１８２は、上記中央部分１８’の下側凹状の円弧の曲率に連続するように、狭い曲率半径にて、内側の上記両端部１８ａ２，１８ｂ２に至っている。
【００６９】
何れにしても、左側の外側の誘導切目線１８１、中央部分１８’、右側の外側の誘導切目線１８１により形成される凹状誘導切目線１８、左側の内側の誘導切目線１８２、中央部分１８’、右側の内側の誘導切目線１８２により形成される凹状誘導切目線１８は何れも下側凹状の円滑な円弧を形成している。
【００７０】
そして、上記凹状誘導切目線１８の中央部分１８’の線路途中の両端部分１８ａ，１８ｂまで、及び、上記誘導切目線１８１，１８１、１８２，１８２の下半部は、後述の裏面側直線状切目線（裏面側中央部切目線）２２ａ’の下側に位置するように構成されている。尚、上記裏面側直線状切目線２２ａ’と中央部分１８’との距離Ｐ２が後述の段差となる（図６参照）。即ち、上記表面側積層フィルム２の上記凹状誘導切目線１８の中央部分１８’は、上記裏面側積層フィルム３の上記裏面側中央部切目線２２ａ’より下側に位置するように構成される。
【００７１】
また、上記凹状誘導切目線１８は、上記中心線Ｐを中心として左右対称に設けられている。
【００７２】
外側の上記両端部１８ａ１，１８ｂ１（端部１８ａ１，１８ｂ１）の位置は、上記上部変曲部１２ａ，１２ｂよりも内側に各々若干入った上側凸状切目線１４の線路途中の両端部位置１４ａ１，１４ｂ１（端部位置１４ａ１，１４ｂ１）に下側から近接して設けられている。また、枝分かれした内側の上記両端部１８ａ２，１８ｂ２（端部１８ａ２，１８ｂ２）の位置は、上記上側凸状切目線１４の線路途中の上記両端部位置１４ａ１，１４ｂ１よりさらに内側に各々若干入った線路途中の両端部位置１４ａ２，１４ｂ２（端部位置１４ａ２，１４ｂ２）に下側から近接して設けられている。上記上側凸状切目線１４の外側の線路途中の上記両端部位置１４ａ１，１４ｂ１、内側の線路途中の両端部位置１４ａ２，１４ｂ２を、上記上側凸状切目線１４の両端部位置という。
【００７３】
また、上記中央線Ｐより上記両端部位置１４ａ１，１４ｂ１（両端部１８ａ１，１８ｂ１）までの距離を距離Ｒ１，Ｒ１とする（図３参照）。上記両端部位置１４ａ１，１４ｂ１（両端部１８ａ１，１８ｂ１）の位置は、上記上部変曲部１２ａ，１２ｂよりも若干内側に入った上記上側凸状切目線１４の左右の線路途中の両端部位置とすることが好ましい。
【００７４】
また、上記両端部位置１４ａ２，１４ｂ２（両端部１８ａ２，１８ｂ２）の位置は、上記両端部位置１４ａ１，１４ｂ１（両端部１８ａ１，１８ｂ１）より若干内側（中央線Ｐ寄り）に入った位置とすることが好ましい。
【００７５】
また、上記凹状誘導切目線１８の外側の左右の両端部１８ａ１，１８ｂ１、内側の左右の両端部１８ａ２，１８ｂ２は、上記上側凸状切目線１４の線路途中の両端部位置１４ａ１，１４ｂ１、線路途中の両端部位置１４ａ２，１４ｂ２に決して接触しておらず、各々下側から近接した状態となっている（図３、図４参照）。この近接は具体的には、図４に示すように、上記端部１８ａ１，１８ｂ１と上記端部位置１４ａ１，１４ｂ１間の距離、上記端部１８ａ２，１８ｂ２と上記端部位置１４ａ２，１４ｂ２間の距離は例えば０．１ｍｍ〜１ｍｍ程度とすることが好ましい。
【００７６】
これは、図１において上辺部１’を手前下側に引いて開封する際、表面側積層フィルム２は、本来的には、下部切目線１１（下側凹状切目線１７）に沿って切断すべきところ、配向の影響により（配向が図３矢印Ｈ１方向に入っている）、切断線が途中から（例えば上部変曲部１２ａ付近から）、上部切目線１０（上側凸状切目線１４）に移動した場合、手前下側に引く下向きの力により切断線が容易に、上記端部位置１４ａ１又は１４ａ２から、下側の上記凹状誘導切目線１８に移行し得るように構成すると共に、上辺部１’を持って奥側上方に押して開封する場合、本来的に上部切目線１０（上側凸状切目線１４）に沿って開封する際に（上向きの力が作用している場合）、上部切目線１０（上側凸状切目線１４）に沿って開封され、下側の上記凹状誘導切目線１８に切断線が移行しないようにするためである。
【００７７】
上記凹状誘導切目線１８は、上記中央部分１８’は１本の下向き円弧状の切目線であるが、左右の線路途中の上記両端部分１８ａ，１８ｂから２本の誘導切目線１８１，１８１、１８２，１８２（左右合計４本）に枝分れしている事例を説明したが、上記枝分かれの本数は２本以上の複数本（３本（左右合計６本）或いは３本以上）であっても良い。即ち、上記凹状誘導切目線１８は、上記中央部分１８’は１本の切目線であるが、上記両端部分１８ａ，１８ｂから外側において複数本の誘導切目線１８１，１８１，誘導切目線１８２，１８２に枝状に分かれており、左右の複数本の誘導切目線１８１，１８１の両端部１８ａ１，１８ｂ１が、上記上側凸状切目線１４の両端部位置１４ａ１，１４ｂ１、左右の複数本の誘導切目線１８２，１８２の両端部１８ａ２，１８ｂ２が、上記上側凸状切目線１４の両端部位置１４ａ１，１４ｂ１とは異なる両端部位置１４ａ２，１４ｂ２に下側から近接するように設けられている。
【００７８】
即ち、上記凹状誘導切目線１８は、上記中央部分１８’は１本の切目線であるが、上記中央部分１８’の左右の線路途中の両端部分１８ａ，１８ｂから複数本に枝分れすることにより、上記両端部分１８ａ，１８ｂから左右に複数本の誘導切目線１８１，１８１、１８２，１８２が形成されており、左右の複数本の上記誘導切目線１８１，１８１、１８２，１８２の各両端部１８ａ１，１８ｂ１、１８ａ２，１８ｂ２が、上記上側凸状切目線１４の線路途中の異なる両端部位置１４ａ１，１４ｂ１、１４ａ２，１４ｂ２に下側から近接している。尚、枝分かれの本数を増加させる場合は、上記距離Ｒ１，Ｒ１から内側に設けることが好ましい。
【００７９】
さらに、上記左側の上記上部変曲部１２ａと上記下部変曲部１５ａとの間、及び、上記右側の上記上部変曲部１２ｂと上記下部変曲部１５ｂとの間に、互いに内側に開口する横向きＶ字型のＶ字誘導切目線１９，２０を、上記上部切目線１０と上記下部切目線１１に接触しないように各々形成する。このＶ字誘導切目線１９，２０は表面側積層フィルム２のみに形成される。
【００８０】
このＶ字誘導切目線１９，２０は、左右対称なので、左側のＶ字誘導切目線１９について説明し、右側のＶ字誘導切目線２０は対応部分の符号をかっこ書で表示する。このＶ字誘導切目線１９（２０）は、図４に示すように、上記上部変曲部１２ａ（１２ｂ）と下部変曲部１５ａ（１５ｂ）の間であって、その「Ｖ字」を構成する上側の開き切目線１９ａ（２０ａ）が、上記凸状切目線１４の上向傾斜切目線１４ｃに沿って内側方向に延びると共に、その「Ｖ字」を構成する下側の開き切目線１９ｂ（２０ｂ）が、上記凹状切目線１７の下向傾斜切目線１７ｂに沿って内側方向に延びるように形成され、かつ、その「Ｖ字」の頂点１９ｃ（２０ｃ）は、外側方向を向いており、後述のＩノッチ２１から水平方向に延長した仮想延長線Ｌ上に形成されている。
【００８１】
そして、上記上側及び下側の開き切目線１９ａ，１９ｂ（２０ａ，２０ｂ）は、上記上下向傾斜切目線１４ｃ，１７ｂに近接してはいるが、決して接することや交わることはないように構成される。
【００８２】
また、上記包装袋１の左右外縁４ａ，５ａにおける上記下向傾斜切目線１３ａ（１３ｂ）の外縁位置１３ａ’（１３ｂ’）と上記上向傾斜切目線１６ａ（１６ｂ）の外縁位置１６ａ’（１６ｂ’）との中間位置に切込部としてのＩノッチ２１，２１を各々形成している。従って、上記仮想延長線Ｌは上部切目線１０と下部切目線１１の中間に存在している。尚、ノッチの形状はＩに限定されず、Ｖ型、Ｕ型等、その他の形状が考えられる（第２の実施形態においても同じ）。
【００８３】
（裏面側積層フィルム３の易開封手段９について）  図２参照
上記裏面側積層フィルム３の上記易開封手段９は、以下のように構成されている（図１、図２参照）。まず、上記裏面側積層フィルム３の上記易開封手段９は、上記上側凸状切目線１４の最も上に位置する上端位置１４ａと上記下側凹状切目線１７の最も下に位置する下端位置１７ａとの間に位置しており、中央部が左右の上記Ｉノッチ２１の形成位置よりも上側に位置する裏面側切目線２２ａと、中央部が左右の上記Ｉノッチ２１の形成位置よりも下側に位置する下部裏面側切目線２２ｂとから構成されている（図２、図３参照）。
【００８４】
即ち、図４に示すように、上記裏面側切目線２２ａの中央部は、上記Ｉノッチ２１の形成位置（Ｉノッチ２１の中心を通る仮想延長線Ｌ）より距離Ｋ１だけ上側に位置しており、上記下部裏面側切目線２２ｂの中央部は、上記Ｉノッチ２１の形成位置（Ｉノッチ２１の上記仮想延長線Ｌ）より同じ距離Ｋ１だけ下側に位置している。
【００８５】
そして、上記裏面側切目線２２ａは、その両端部は上記左右の切込部（Ｉノッチ）２１の形成位置より下側位置の上記左右外縁４ａ，５ａの左右同一水準位置（図２、位置Ｗ１，Ｗ１参照）から始まり、左右熱溶着部４，５より内側における上記Ｉノッチ２１の形成位置より上側の左右同一水準位置の裏面側変曲部２３ａ，２３ｂまで下方から上方に向けて上り傾斜に形成された左右の裏面側上向切目線２４ａ，２４ｂと、上記左右の裏面側変曲部２３ａ，２３ｂを結ぶ上記中央部の裏面側直線状切目線（裏面側中央部切目線）２２ａ’とから構成され、全体が１本の連続的な切目線により形成されている。尚、上記裏面側中央部切目線２２ａ’は、上記表面側積層フィルム２の上記上側凸状切目線１０と上記下側凹状切目線１１との間に位置している。
【００８６】
即ち、上記裏面側切目線２２ａは、全体として、中央部が直線（裏面側直線状切目線２２ａ’）で、左右両端部（裏面側上向切目線２４ａ，２４ｂ）が下側に直線的な下り傾斜となる略台形状（左右対称）に形成されている。また、上記裏面側変曲部２３ａ，２３ｂは、表面側の上下変曲部１２ａ，１５ａ、１２ｂ，１５ｂの位置よりも、各々外側に形成されているが（図２参照）、上記裏面側変曲部２３ａ，２３ｂの位置は、上記熱溶着部４，５の内縁４ｂ，５ｂよりも内側に入った位置に形成されている。
【００８７】
さらに、上記下部裏面側切目線２２ｂは、全体が直線状の切目線であり、その左右両端部２２ｂ’，２２ｂ’は上記包装袋１の左右外縁４ａ，５ａまで達しない状態に形成されている。具体的には、図２に示すように、上記左右両端部２２ｂ’，２２ｂ’は、上記左右の熱溶着部４，５より内側であって、上記裏面側切目線２２ａの上記裏面側変曲部２３ａ，２３ｂに直交する縦方向の仮想直線Ｕに当接する位置まで形成されており（図２、図４参照）、上記左右両端部２２ｂ’，２２ｂ’より上記左右外縁４ａ，５ａまでは、切目線は形成されていない。尚、上記下部裏面側切目線２２ｂは左右対称に構成される。
【００８８】
また、上記裏面側直線状切目線２２ａ’は、表面側の上記上部変曲部１２ａ，１２ｂにおいては、上記上部変曲部１２ａ，１２ｂを構成する下向き湾曲状の切目線の上側に位置しており、上記下部裏面側切目線２２ｂは、裏面側の上記下部変曲部１５ａ，１５ｂにおいては、上記下部変曲部１５ａ，１５ｂを構成する上向き湾曲状の切目線の下側に位置している（図２〜図４参照）。
【００８９】
そして、左右の裏面側上向切目線２４ａ，２４ｂは、左右の上記Ｉノッチ２１，２１の内側部分に接近して設けられている。即ち、図１において、例えば左側の上辺部１’を摘まんで、手前下に引いて開口する場合（図２では右側を奥側下に押す）においては、Ｉノッチ２１からの切断線（仮想延長線Ｌに沿って切断される）が直ちに、裏面側上向切目線２４ａの線路途中に到達するように構成し、配向の影響を受けないように構成されている。尚、左右のＩノッチ２１の内側の端部（内側端）から裏面側上向切目線２４ａ又は２４ｂまでの接近の距離（Ｉノッチ２１の内側端からの仮想延長線Ｌと、裏面側上側切目線２４ａ，２４ｂの線路途中の交点までの距離）は、例えば０．５ｍｍ〜３ｍｍ程度とすることが好ましい。
【００９０】
また、左右の上記Ｉノッチ２１の内側端を内側に延長し、裏面側上向切目線２４ａ，２４ｂの線路途中に接する場合もある。この場合、上記距離は０．０ｍｍとなるため、結局上記距離は０．０ｍｍ〜３ｍｍ程度となる。
【００９１】
裏面側積層フィルム３の切目線は上述のように構成されているから、Ｉノッチ２１から右側又は左側に延長した仮想延長線Ｌは、必ず、左右の裏面側上向切目線２４ａ，２４ｂの線路途中に直ちに交わるように構成されている。従って、Ｉノッチ２１から右側又は左側に切断してくと、切断線は裏面側では必ず、左右の裏面側上向切目線２４ａ，２４ｂに直ちに達し、その点からは、裏面側上向切目線２４ａ，２４ｂに沿って切断されていくように構成されている。よって、図１において上記上辺部１’を手前に引いて開封する場合、上記上辺部１’を奥側に押して開封する場合の何れの場合も、裏面側の切断線は、裏面側上向切目線２４ａを介して、上記裏面側直線状切目線２２ａ’に誘導されて、当該裏面側切目線２２ａに沿って開封されるように構成されており、配向の影響を受けないように構成されている。
【００９２】
本発明に係る包装袋の表面側積層フィルム２及び裏面側積層フィルム３の材料は、最外層が、例えばポリエチレンテレフタレート（ＰＥＴ）フィルム、中間層がポリエチレン（ＰＥ）フィルム、アルミニウム箔、ポリエチレン（ＰＥ）フィルム、最内層のシーラント層がポリエチレン（ＰＥ）フィルム、又は、ポリプロピレン（ＰＰ）フィルム、或いは、最外層が、例えばポリエチレンテレフタレート（ＰＥＴ）フィルム、中間層がアルミニウム箔、最内層のシーラント層がポリエチレン（ＰＥ）フィルム、又は、ポリプロピレン（ＰＰ）フィルム等が考えられる。この場合、２軸延伸されるのは最外層のポリエチレンテレフタレートフィルムのみであり、その他の樹脂フィルム（ポリエチレンフィルム、ポリプロピレンフィルム）は、延伸されないため、分子配向の問題は生じない。
【００９３】
尚、最外層のポリエチレンテレフタレート（ＰＥＴ）フィルムが２枚重ねられるケースもあるが、この場合、２枚ともに配向の方向が一致していれば、本発明の上記第１の実施形態の凹状誘導切目線１８又は後述の凸状誘導切目線２９（第２の実施形態）にてきれいな段差を形成し得るし、２枚の配向が交差する場合は、中取り（図１６参照）と同じく、切断方向は水平となるので、大きな問題ない。
【００９４】
（第１の実施形態の動作説明）
本発明に係る包装袋１は上述のように構成されるものであるから、次に、この包装袋１の開封動作について説明する（図５参照）。
【００９５】
まず、図１において右手で上記上辺部１’を持って、左端部から上記上辺部１’を手前側下方に引いて開封する場合を説明する（図１の矢印Ａ方向、図５も参照）。
【００９６】
この場合、左手で包装袋１の下半部を保持し、右手で上記上辺部１’の左端部を持って手前下方（図１、矢印Ａ方向）に引くと、左端部のＩノッチ２１から右方向に引き裂きが始まり、表面側積層フィルム２では、手前下方に引いているので、切断線は上向傾斜切目線１６ａに達し（図５切断線１６ａ’参照）、下部変曲部１５ａを通って下部切目線１１に沿って切断される。
【００９７】
即ち、手前下方に力が加わっているので、切断線は上向傾斜切目線１６ａから下部変曲部１５ａを通って、下側凹状切目線１７に移行し、そのまま下側凹状切目線１７に沿って切断され、右側の下部変曲部１５ｂを通って上向傾斜切目線１６ｂを介して右外縁５ａまで切断される（図５参照）。
【００９８】
一方、裏面側積層フィルム３では、上記Ｉノッチ２１から手前側下方に引かれるが、裏面側の切断線は、上記Ｉノッチ２１から接近する裏面側上向切目線２４ａの線路途中に直ぐに到達し、配向の影響を受けずに当該到達位置から該裏面側上向切目線２４ａに沿って切断され、裏面側変曲点２３ａを通って裏面側直線状切目線（裏面側中央部切目線）２２ａ’に沿って切断されて行き、右側の裏面側変曲点２３ｂを通って最終的には右側の裏面側上向切目線２４ｂに沿って右外縁５ａまで切断される。
【００９９】
その結果、表面側積層フィルム２側は、その中央部は下側凹状切目線１７に沿って切断されるため、下向凹状切断線２５が形成され、裏面側積層フィルム３は、上側の裏面側直線状切目線２２ａ’に沿って切断されるため、当該切目線２２ａ’に沿った直線状切断線２６が形成される（図５参照）。
【０１００】
このとき、上記下向凹状切断線２５の最も下部の位置と上記直線状切断線２６との間には、距離Ｐ１の段差が生じているので、その後、使用者は上記距離Ｐ１の段差を利用して、包装袋１を容易に開口することができる。
【０１０１】
上記の場合は、図３の斜め下方向の配向（最外層の例えばポリエチレンテレフタレート（ＰＥＴ）フィルムの配向が矢印Ｈ２方向）が存在する場合は、表面側積層フィルム２側は、力の方向（矢印Ａ方向）と配向の方向（矢印Ｈ２方向）が略同一の方向なので、何ら支障なく、下部切目線１１（下側凹状切目線１７）に沿って切断することができる。
【０１０２】
また、この場合、切る方向（手前側下方）に余計な片は存在しないので、抵抗なく切断することができる。
【０１０３】
次に、開封方向は同一であるが、表面側積層フィルム２（最外層の例えばポリエチレンテレフタレート（ＰＥＴ）フィルム）に図３のＨ１方向（右斜め上方向）の配向があった場合の開封動作について説明する（図６参照）。
【０１０４】
まず、図１において、右手で上記上辺部１’を持って、左端部から上記上辺部１’を手前側下方に引いて開封する場合を説明する（図１の矢印Ａ方向、図６も参照）。
【０１０５】
この場合、左手で包装袋１の下半部を保持し、右手で上記上辺部１’の左端部を持って手前下方（図１、矢印Ａ方向）に引くと、左端部のＩノッチ２１から右方向に引き裂きが始まり、表面側積層フィルム２では、手前下方に引いているので、切断線は上向傾斜切目線１６ａに達し（図６切断線１６ａ’参照）、下部変曲部１５ａを通って下部切目線１１（下側凹状切目線１７）に沿って切断されようとする。
【０１０６】
即ち、手前下方に力が加わっているので、切断線は上向傾斜切目線１６ａから下部変曲部１５ａを通って、下側凹状切目線１７に移行しようとする。
【０１０７】
ここで、図３、図６の矢印Ｈ１方向に配向が存在すると、切断線の方向は、配向に影響を受け、配向の方向（矢印Ｈ１方向）に沿って切断され、早い段階の、下部変曲部１５ａ付近の途中から、斜め上方に切断され（図６切断線１４’参照）、上部切目線１０である上側凸状切目線１４に沿って切断されていく。或いは、Ｉノッチ２１から上向傾斜切目線１６ａまで距離があるので、当初から配向（矢印Ｈ１方向）の影響を受け、上部切目線１０（上側凸状切目線１４）に沿って切断される場合もある。
【０１０８】
しかしながら、力の方向は下方（図１の矢印Ａ方向）を向いているので、切断線は、上側凸状切目線１４の最初の線路途中の左側の端部位置１４ａ１から下側に近接している凹状誘導切目線１８の左側の端部１８ａ１に移行し、引き続いて、左側の誘導切目線１８１に沿って切断され、線路途中の両端部分１８ａを介して下側凹状切目線１８の中央部分１８’に沿って切断されて行き、右側の両端部分１８ｂ、及び、右側の外側の誘導切目線１８１を通って右側の端部１８ｂ１を介して上側に近接する右側の端部位置１４ｂ１に到達し、該端部位置１４ｂ１から上側凸状切目線１４、上部変曲部１２ｂ、上向傾斜切目線１６ｂを介して右外縁５ａまで切断される（図６参照）。
【０１０９】
一方、裏面側積層フィルム３では、上記Ｉノッチ２１から手前側下方に引かれるが、裏面側の切断線は、上記Ｉノッチ２１から接近する裏面側上向切目線２４ａの線路途中に直ぐに到達し、当該到達位置から該裏面側上向切目線２４ａに沿って切断され、配向の影響を受けずに、裏面側変曲点２３ａを通って裏面側直線状切目線（裏面側中央部切目線）２２ａ’に沿って切断されて行き、右側の裏面側変曲点２３ｂを通って最終的には右側の裏面側上向切目線２４ｂに沿って右外縁５ａまで切断される。
【０１１０】
その結果、表面側積層フィルム２側は、その中央部は凹状誘導切目線１８に沿って切断されるため、下向凹状切断線２７が形成され、裏面側積層フィルム３は、上側の裏面側直線状切目線２２ａ’に沿って切断されるため、当該切目線２２ａ’に沿った直線状切断線２６が形成される（図６参照）。
【０１１１】
このとき、上記下向凹状切断線２７の最も下部の位置と上記直線状切断線２６との間には、距離Ｐ２の段差が生じているので、その後、使用者は上記距離Ｐ２の段差を利用して、包装袋１を容易に開口することができる。
【０１１２】
このように、表面側積層フィルム２の最外層の例えばポリエチレンテレフタレート（ＰＥＴ）フィルムに矢印Ｈ１方向（斜め上方向）の配向があり、表面側積層フィルム２側において、本来的には下部切目線１１を切断すべきところ、上記配向（矢印Ｈ１方向）の影響により、切断線が上部切目線１０（上側凸状切目線１４）に移行したとしても、手前側下方（矢印Ａ方向）に引いている関係上、上部切目線１０（上側凸状切目線１４）の線路途中（右側の端部位置１４ａ１）から、下側に近接する凹状誘導切目線１８に移行することができるため、最終的には距離Ｐ２のきれいな段差（表面側積層フィルム２側は下向き円弧状、裏面側積層フィルム３側は直線状からなる段差）を形成することが可能となる。
【０１１３】
また、凹状誘導切目線１８の左右の線路途中から複数本（本実施形態では片側で２本）の誘導切目線１８１，１８２に枝分かれしているので、左側から最初に到来する誘導切目線１８１に、端部位置１４ａ１、端部１８ａ１からの移行が失敗したとしても、次に到来する誘導切目線１８２に、端部位置１４ａ２、端部１８ａ２から移行することができ、凹状誘導切目線１８への移行のチャンスが複数回（本実施形態では２回）設けられており、凹状誘導切目線１８への移行のチャンスを複数回設けることができる。
【０１１４】
この場合、手前方向に引いており、凹状誘導切目線１８に沿って切断されるため、従来技術のように、切る方向に表面側の片４０ａ（図１７参照）が存在せず、従って抵抗を生じることもなく、切断線が波打つこともなく、きれいな段差（距離Ｐ２）を形成することができる（図６参照）。
【０１１５】
上記動作説明では、矢印Ｈ１方向の配向がある場合を説明したが、配向とは関係なく、包装袋１に重いものが入っており、図１８に示すように、包装袋１の左上方を把持したとき、包装袋１が左方向（矢印Ｙ方向）に回動した状態で、上辺部１’を持って手前側下方に引いて開封する場合にも同様の事象が生じる。即ち、この場合、手前側下方への力（図１の矢印Ａ方向）が、包装袋１が回動したことによって矢印Ｈ１方向の力となり、図６と同様に、本来下部切目線１１に沿って開封すべきところが、上部切目線１０（上側凸状切目線１４）に沿って切断されることがある。
【０１１６】
このような状況においては、開封しようとする者は、手前側下方に引いて開封しようとして、できるだけ力の方向が下方を向くように手前に引く関係上、上側凸状切目線１４の左側の端部位置１４ａ１又は１４ａ２から上記凹状誘導切目線１８（端部１８ａ１又は１８ａ２）に移行することが可能となる。その結果、上記と同様に、開封部に距離Ｐ２のきれいな段差を形成することが可能となる（図６参照）。
【０１１７】
次に、表面側積層フィルム２（例えば最外層のポリエチレンテレフタレート（ＰＥＴ）フィルム）に図３のＨ１方向（右斜め上方向）の配向があった場合、上辺部１’を持って奥側上方（図１矢印Ｂ方向）に押して開封する場合の開封動作について説明する（図７参照）。
【０１１８】
この場合、図１において、左手で包装袋１の下半部を保持し、右手で上記上辺部１’の左端部を持って奥側上方（矢印Ｂ方向）に押すと、左端部のＩノッチ２１から右方向に引き裂きが始まり、表面側積層フィルム２では、奥側上方に押しているので、切断線は下向傾斜切目線１３ａに達し（図７切断線１３ａ’参照）、上部変曲部１２ａを通って上部切目線１０（上側凸状切目線１４）に沿って切断される。
【０１１９】
即ち、奥側上方に力が加わっているので、切断線は下向傾斜切目線１３ａから上部変曲部１２ａを通って、上側凸状切目線１４に移行し、そのまま上側凸状切目線１４に沿って切断され、右側の上部変曲部１２ｂを通って下向傾斜切目線１３ｂを介して右外縁５ａまで切断される（図７参照）。この場合、配向の方向が矢印Ｈ１方向（右斜め上方向）であって、力の方向（奥側上方）と配向の方向が略同一の方向なので、何ら支障なく、上部切目線１０に沿って開封することができる。
【０１２０】
一方、裏面側積層フィルム３では、上記Ｉノッチ２１から奥側上方に押されるが、裏面側の切断線は、上記Ｉノッチ２１から接近する裏面側上向切目線２４ａの線路途中に直ぐに到達し、配向の影響を受けずに、当該到達位置から該裏面側上向切目線２４ａに沿って切断され、裏面側変曲点２３ａを通って裏面側直線状切目線２２ａ’に沿って切断されて行き、右側の裏面側変曲点２３ｂを通って最終的には右側の裏面側上向切目線２４ｂに沿って右外縁５ａまで切断される。
【０１２１】
その結果、表面側積層フィルム２側は、その中央部は上側凸状切目線１４に沿って切断されるため、上向凸状切断線２８が形成され、裏面側積層フィルム３は、上側の裏面側直線状切目線２２ａ’に沿って切断されるため、当該切目線２２ａ’に沿った直線状切断線２６が形成される（図７参照）。
【０１２２】
このとき、上記上向凸状切断線２８の最も上部の位置と上記直線状切断線２６との間には、距離Ｐ３の段差が生じているので、その後、使用者は上記距離Ｐ３の段差を利用して、包装袋１を容易に開口することができる（図７参照）。
【０１２３】
また、上辺部１’を奥部上方（図１、矢印Ｂ方向）に押して（力のかかる方向は上方に）開口しており、上記上側凸状切目線１４の線路途中の端部位置１４ａ１，１４ｂ１、１４ａ２，１４ｂ２と、凹状誘導切目線１８の端部１８ａ１，１８ｂ１，１８ａ２，１８ｂ２は狭いけれども近接した間隔が空いているので、上方に力がかかった状態で、上側凸状切目線１４に沿って切断されている途中に、切断線が、下側の凹状誘導切目線１８に移行することはない。
【０１２４】
（第２の実施形態）
次に、第２の実施形態（図８〜図１１参照）について説明する。この第２の実施形態は、図１〜図４に示す第１の実施形態における、表面側積層フィルム２における上部切目線１０（上側凸状切目線１４）に下側から近接する上記凹状誘導切目線１８に代えて、表面側積層フィルム２において、下部切目線１１（下側凹状切目線１７）に上側から近接する凸状誘導切目線２９を設けた点において異なっており、その他の構成については、裏面側積層フィルム３の構成を含め、第１の実施形態と同一である。よって、第１の実施形態との相違点（凸状誘導切目線２９）についてのみ説明し、第１の実施形態と同一部分については同一符号を付し、同一部分については、表面側積層フィルム１及び裏面側積層フィルム３共に、便宜上説明を省略する。
【０１２５】
上記上部切目線１０と上記下部切目線１１との間において（主に図１０参照）、両端部２９ａ１，２９ｂ１、両端部２９ａ２，２９ｂ２（左側の端部２９ａ１，２９ａ２、右側の端部２９ｂ１，２９ｂ２）が、上記下側凹状切目線１７の左右対称の線路途中の両端部位置１７ａ１，１７ｂ１、左右対称の線路途中の両端部位置１７ａ２，１７ｂ２（左側の線路途中の端部位置１７ａ１，１７ａ２、右側の線路途中の端部位置１７ｂ１，１７ｂ２）に各々上側から近接すると共に、外側の上記両端部２９ａ１，２９ｂ１、内側の両端部２９ａ２，２９ｂ２から上方に円弧状に膨れる凸状誘導切目線２９が設けられている。尚、上記凸状誘導切目線２９は、全体として上記上部切目線１０と上記下部切目線１１の間に形成されている。
【０１２６】
上記凸状誘導切目線２９は、中央部分２９’は１本の上向き円弧状の切目線であるが、左右の線路途中の両端部分２９ａ，２９ｂから左右の外側部分は、片側２本ずつ（両側で４本）に枝分かれしており、その内の左右の外側の誘導切目線２９１，２９１は、上記中央部分２９’の上側凸状の円弧の曲率に連続するように、広い曲率半径にて、外側の上記両端部２９ａ１，２９ｂ１に至っており、その内の左右の内側の誘導切目線２９２，２９２は、上記中央部分２９’の上側凸状の円弧の曲率に連続するように、狭い曲率半径にて、内側の上記両端部２９ａ２，２９ｂ２に至っている。
【０１２７】
尚、中央部分２９’は、中央は略平坦面を構成しているが、全体としては曲率半径の広い円弧を構成している。何れにしても、左側の外側の誘導切目線２９１、中央部分２９’、右側の外側の誘導切目線２９１により形成される凸状誘導切目線２９、左側の内側の誘導切目線２９２、中央部分２９’、右側の内側の誘導切目線２９２により形成される凸状誘導切目線２９は何れも上側凸状の円滑な円弧を形成している。
【０１２８】
そして、上記凸状誘導切目線２９の中央部分２９’の線路途中の両端部分２９ａ，２９ｂまで、及び、上記誘導切目線２９１，２９１、２９２，２９２の上部は、上記裏面側直線状切目線２２ａ’（裏面側中央部切目線）の上側に位置するように構成されている。尚、上記裏面側直線状切目線２２ａ’と中央部分２９’との距離Ｐ５が後述の段差となる（図１３参照）。即ち、上記表面側積層フィルム２の上記凸状誘導切目線２９の中央部分２９’は、上記裏面側積層フィルム３の上記裏面側中央部切目線２２ａ’より上側に位置している。
【０１２９】
また、上記凸状誘導切目線２９は、上記中心線Ｐを中心として左右対称に設けられている。
【０１３０】
外側の上記両端部２９ａ１，２９ｂ１（端部２９ａ１，２９ｂ１）の位置は、上記下部変曲部１５ａ，１５ｂよりも内側に各々若干入った下側凹状切目線１７の線路途中の両端部位置１７ａ１，１７ｂ１（端部位置１７ａ１，１７ｂ１）に上側から近接して設けられている。また、枝分かれした内側の上記両端部２９ａ２，２９ｂ２（端部２９ａ２，２９ｂ２）の位置は、上記下側凹状切目線１７の線路途中の上記両端部位置１７ａ１，１７ｂ１よりさらに内側に各々若干入った上記下側凹状切目線１７の線路途中の両端部位置１７ａ２，１７ｂ２（端部位置１７ａ２，１７ｂ２）に上側から近接して設けられている。上記下側凹状切目線１７の外側の線路途中の上記両端部位置１７ａ１，１７ｂ１、内側の線路途中の上記両端部位置１７ａ２，１７ｂ２を、上記下側凹状切目線１７の両端部位置という。
【０１３１】
また、上記中央線Ｐより上記両端部位置１７ａ１，１７ｂ１（両端部２９ａ１，２９ｂ１）までの距離を距離Ｒ２，Ｒ２とする（図１０参照）。上記両端部位置１７ａ１，１７ｂ１（両端部２９１、２９ｂ１）の位置は、上記下部変曲部１５ａ，１５ｂよりも若干内側に入った上記凹状切目線１７の左右の線路途中の両端部位置とすることが好ましい。
【０１３２】
また、上記両端部位置１７ａ２，１７ｂ２（両端部２９ａ２，２９ｂ２）の位置は、上記両端部位置１７ａ１，１７ｂ１（両端部２９ａ１，２９ｂ１）より若干内側（中央線Ｐ寄り）に入った位置とすることが好ましい。
【０１３３】
また、上記凸状誘導切目線２９の外側の左右の両端部２９ａ１，２９ｂ１、内側の左右の両端部２９ａ２，２９ｂ２は、上記下側凹状切目線１７の線路途中の両端部位置１７ａ１，１７ｂ１、線路途中の両端部位置１７ａ２，１７ｂ２に決して接触しておらず、各々上側から近接した状態となっている（図１０、図１１参照）。この近接は具体的には、図１１に示すように、上記端部２９ａ１，２９ｂ１と上記端部位置１７ａ１，１７ｂ１間の距離、上記端部２９ａ２，２９ｂ２と上記端部位置１７ａ２，１７ｂ２間の距離は例えば０．１ｍｍ〜１ｍｍ程度とすることが好ましい。
【０１３４】
これは、図８において、上辺部１’を奥側に押して開封する際、表面側積層フィルム２は、本来的には、上部切目線１０（上側凸状切目線１４）に沿って切断すべきところ、配向の影響により（配向が図１０矢印Ｈ２方向に入っている）、切断線が途中から下部切目線１１（下側凹状切目線１７）に移動した場合、奥側上方に押す上向きの力により切断線が容易に、上記端部位置１７ａ１又は１７ａ２から、上記凸状誘導切目線２９に移行し得るように構成すると共に、上辺部１’を持って手前下方に引いて開封する場合、本来的に下部切目線１１（下側凹状切目線１７）に沿って開封する際に（下向きの力が作用している場合）、下部切目線１１（下側凹状切目線１７）に沿って開封され、上記凸状誘導切目線２９に切断線が移行しないようにするためである。
【０１３５】
上記凸状誘導切目線２９は、上記中央部分２９’は１本の上向き円弧状の切目線であるが、左右の線路途中の上記両端部分２９ａ，２９ｂから２本の誘導切目線２９１，２９１、２９２，２９２（左右合計４本）に枝分れしている事例を説明したが、上記枝分かれの本数は２本以上の複数本（３本（左右合計６本）或いは３本以上）であっても良い。即ち、上記凸状誘導切目線２９は、上記中央部分２９’は１本の切目線であるが、上記両端部分２９ａ，２９ｂから外側において複数本の誘導切目線２９１，２９１，誘導切目線２９２，２９２に枝状に分かれており、左右の複数本の誘導切目線２９１，２９１の両端部２９ａ１，２９ｂ１が、上記下側凹状切目線１７の両端部位置１７ａ１，１７ｂ１、左右の複数本の誘導切目線２９２，２９２の両端部２９ａ２，２９ｂ２が、上記下側凹状切目線１７の両端部位置１７ａ１，１７ｂ１とは異なる両端部位置１７ａ２，１７ｂ２に上側から近接するように設けられている。尚、枝分かれの本数を増加させる場合は、上記距離Ｒ２，Ｒ２から内側に設けることが好ましい。
【０１３６】
即ち、上記凸状誘導切目線２９は、上記中央部分２９’は１本の切目線であるが、上記中央部分２９’の左右の線路途中の両端部分２９ａ，２９ｂから複数本に枝分れすることにより、上記両端部分２９ａ，２９ｂから左右に複数本の誘導切目線２９１，２９１、２９２，２９２が形成されており、左右の複数本の上記誘導切目線２９１，２９１、２９２，２９２の各両端部２９ａ１，２９ｂ１、２９ａ２，２９ｂ２が、上記下側凹状切目線１７の線路途中の異なる両端部位置１７ａ１，１７ｂ１、１７ａ２，１７ｂ２に上側から近接している。
【０１３７】
また、第２の実施形態においても、包装袋を構成する表面側積層フィルム２、裏面側積層フィルム３のフィルム構成は、第１の実施形態と同様である。
【０１３８】
（第２の実施形態の動作説明）
本発明に係る包装袋１（第２の実施形態）は上述のように構成されるものであるから、次に、この包装袋１の開封動作について説明する（図１２参照）。
【０１３９】
まず、図８において、右手で上記上辺部１’を持って、左端部から上記上辺部１’を奥側上方に押して開封する場合を説明する（図８の矢印Ｃ方向、図１２も参照）。
【０１４０】
この場合、左手で包装袋１の下半部を保持し、右手で上記上辺部１’の左端部を持って奥側上方（図８、矢印Ｃ方向）に押すと、左端部のＩノッチ２１から右方向に引き裂きが始まり、表面側積層フィルム２では、奥側上方に押しているので、切断線は下向傾斜切目線１３ａに達し（図１２切断線１３ａ’参照）、上部変曲部１２ａを通って上部切目線１０に沿って切断される。
【０１４１】
即ち、奥側上方に力が加わっているので、切断線は下向傾斜切目線１３ａから上部変曲部１２ａを通って、上側凸状切目線１４に移行し、そのまま上側凸状切目線１４に沿って切断され、右側の上部変曲部１２ｂを通って下向傾斜切目線１３ｂを介して右外縁５ａまで切断される（図１２参照）。
【０１４２】
一方、裏面側積層フィルム３では、上記Ｉノッチ２１から奥側上方に押されるが、裏面側の切断線は、上記Ｉノッチ２１から接近する裏面側上向切目線２４ａの線路途中に直ぐに到達し、配向の影響を受けずに、当該到達位置から該裏面側上向切目線２４ａに沿って切断され、裏面側変曲点２３ａを通って裏面側直線状切目線２２ａ’に沿って切断されて行き、右側の裏面側変曲点２３ｂを通って最終的には右側の裏面側上向切目線２４ｂに沿って右外縁５ａまで切断される。
【０１４３】
その結果、表面側積層フィルム２側は、その中央部は凸状切目線１４に沿って切断されるため、上向凸状切断線３０が形成され、裏面側積層フィルム３は、上側の裏面側直線状切目線２２ａ’に沿って切断されるため、当該切目線２２ａ’に沿った直線状切断線２６が形成される（図１２参照）。
【０１４４】
このとき、上記上向凸状切断線３０の最も上部の位置と上記直線状切断線２６との間には、距離Ｐ４の段差が生じているので、その後、使用者は上記距離Ｐ４の段差を利用して、包装袋１を容易に開口することができる。
【０１４５】
上記の場合は、図１０の方向の斜め上方の配向（最外層の例えばポリエチレンテレフタレート（ＰＥＴ）フィルムの配向が矢印Ｈ１方向）が存在する場合は、表面側積層フィルム２側は、力の方向（矢印Ｃ方向）と配向の方向（矢印Ｈ１方向）が略同一の方向なので、何ら支障なく、上部切目線１０（上側凸状切目線１４）に沿って切断することができる。
【０１４６】
また、この場合、切る方向（奥側上方）に余計な片は存在しないので、抵抗なく切断することができる。
【０１４７】
次に、開封方向は同一であるが、表面側フィルム（例えばポリエチレンテレフタレート（ＰＥＴ）フィルム）に図１０のＨ２方向（右斜め下方向）の配向があった場合の開封動作について説明する（図１３参照）。
【０１４８】
まず、図８において、右手で上記上辺部１’を持って、左端部から上記上辺部１’を奥側上方に押して開封する場合を説明する（図８の矢印Ｃ方向、図１３も参照）。
【０１４９】
この場合、左手で包装袋１の下半部を保持し、右手で上記上辺部１’の左端部を持って奥側上方（図８、矢印Ｃ方向）に押すと、左端部のＩノッチ２１から右方向に引き裂きが始まり、表面側積層フィルム２では、奥側上方に押しているので、切断線は下向傾斜切目線１３ａに達し（図１３切断線１３ａ’参照）、上部変曲部１２ａ付近を通って上部切目線１０に沿って切断されようとする。
【０１５０】
即ち、奥側上方に力が加わっているので、切断線は下向傾斜切目線１３ａから上部変曲部１２ａを通って、上側凸状切目線１４に移行しようとする。
【０１５１】
ここで、図１０、図１３の矢印Ｈ２方向に配向が存在すると、切断線は、配向に影響を受け、配向の方向（矢印Ｈ２方向）に沿って切断され、早い段階の、上部変曲部１２ａの途中から、斜め下方向に切断され（図１３、切断線１７’参照）、下部切目線１１である下側凹状切目線１７に沿って切断されていく。或いは、Ｉノッチ２１から下向傾斜切目線１３ａまで距離があるので、当初から配向（矢印Ｈ２方向）の影響を受け、下部切目線１１（下側凸状切目線１７）に沿って切断される場合もある。
【０１５２】
しかしながら、力の方向は上方（図８の矢印Ｃ方向）を向いているので、切断線は下側凹状切目線１７の線路途中の左側の端部位置１７ａ１から、上側に近接している凸状誘導切目線２９の左側の端部２９ａ１に移行し、引き続いて、左側の誘導切目線２９１に沿って切断され、線路途中の両端部分２９ａを介して凸状誘導切目線２９の中央部分２９’に沿って切断され、右側の両端部分２９ｂ、及び、右側の外側の誘導切目線２９１を通って右側の端部位置１７ｂ１から下側凹状切目線１７、下部変曲部１５ｂ、上向傾斜切目線１６ｂを介して右外縁５ａまで切断される（図１３参照）。
【０１５３】
一方、裏面側積層フィルム３では、上記Ｉノッチ２１から奥側上方に引かれるが、裏面側の切断線は、上記Ｉノッチ２１から接近する裏面側上向切目線２４ａの線路途中に直ぐに到達し、配向の影響を受けずに、当該到達位置から該裏面側上向切目線２４ａに沿って切断され、裏面側変曲点２３ａを通って裏面側直線状切目線２２ａ’に沿って切断されて行き、右側の裏面側変曲点２３ｂを通って最終的には右側の裏面側上向切目線２４ｂに沿って右外縁５ａまで切断される。
【０１５４】
その結果、表面側積層フィルム２側は、その中央部は凸状誘導切目線２９に沿って切断されるため、上向凸状切断線３１が形成され、裏面側積層フィルム３は、上側の裏面側直線状切目線２２ａ’に沿って切断されるため、当該切目線２２ａ’に沿った直線状切断線２６が形成される（図１３参照）。
【０１５５】
このとき、上記上向凸状切断線３１の最も上部の位置と上記直線状切断線２６との間には、距離Ｐ５の段差が生じているので、その後、使用者は上記距離Ｐ５の段差を利用して、包装袋１を容易に開口することができる。
【０１５６】
このように、表面側積層フィルム２の最外層の例えばポリエチレンテレフタレート（ＰＥＴ）フィルムに矢印Ｈ２方向（斜め下方向）の配向があり、表面側積層フィルム２側において、本来的には上部切目線１０を切断すべきところ、上記配向（矢印Ｈ２方向）の影響により、切断線が下部切目線１１（下側凹状切目線１７）に移行したとしても、奥側上方（矢印Ｃ方向）に押している関係上、下部切目線１１（下側凹状切目線１７）の線路途中（右側の端部位置１７ａ１）から、上側に近接する下側凸状誘導切目線２９に移行することができるため、最終的には距離Ｐ５のきれいな段差（表面側積層フィルム２側は上向き円弧状、裏面側積層フィルム３側は直線状からなる段差）を形成することが可能となる。
【０１５７】
また、凸状誘導切目線２９の左右の線路途中から複数本（本実施形態では片側で２本）の誘導切目線２９１，２９２に枝分かれしているので、左側から最初に到来する誘導切目線２９１に、端部位置１７ａ１、端部２９ａ１から移行が失敗したとしても、次に到来する誘導切目線２９２に、端部位置１７ａ２、端部２９ａ２から移行することができ、凸状誘導切目線２９への移行のチャンスが複数回（本実施形態では２回）設けられており、凸状誘導切目線２９への移行のチャンスを複数回設けることができる。
【０１５８】
この場合、奥側方向に押している関係上、凸状誘導切目線２９に沿って切断されるため、従来技術のように、切る方向に裏面側の片４０ｂ（図１７参照）が存在せず、抵抗を生じることもなく、切断線が波打つこともなく、きれいな段差（距離Ｐ５）を形成することができる（図１３参照）。
【０１５９】
次に、表面側積層フィルム２（例えば最外層のポリエチレンテレフタレート（ＰＥＴ）フィルム）に図１０のＨ２方向（右斜め下方向）の配向があった場合、上辺部１’を持って手前側下方（図８、矢印Ｄ方向）に引いて開封する場合の開封動作について説明する（図１４参照）。
【０１６０】
この場合、図８において、左手で包装袋１の下半部を保持し、右手で上記上辺部１’の左端部を持って手前側下方（矢印Ｄ方向）に引くと、左端部のＩノッチ２１から右方向に引き裂きが始まり、表面側積層フィルム２では、手前側下方に引いているので、切断線は上向傾斜切目線１６ａに達し（図１４、切断線１６ａ’参照）、下部変曲部１５ａを通って下部切目線１１（下側凹状切目線１７）に沿って切断される。
【０１６１】
即ち、手前側下方に力が加わっているので、切断線は上向傾斜切目線１６ａから下部変曲部１５ａを通って、下側凹状切目線１７に移行し、そのまま下側凹状切目線１７に沿って切断され、右側の下部変曲部１５ｂを通って上向傾斜切目線１６ｂを介して右外縁５ａまで切断される（図１４参照）。この場合、配向の方向が矢印Ｈ２方向（右斜め下方向）であって、力の方向（手前側下方、矢印Ｄ方向）と配向の方向（矢印Ｈ２方向）が略同一の方向なので、何ら支障なく、下部切目線１１に沿って開封することができる。
【０１６２】
一方、裏面側積層フィルム３では、上記Ｉノッチ２１から手前下方に引かれるが、裏面側の切断線は、上記Ｉノッチ２１から接近する裏面側上向切目線２４ａの線路途中に直ぐに到達し、配向に影響されずに、当該到達位置から該裏面側上向切目線２４ａに沿って切断され、裏面側変曲点２３ａを通って裏面側直線状切目線２２ａ’に沿って切断されて行き、右側の裏面側変曲点２３ｂを通って最終的には右側の裏面側上向切目線２４ｂに沿って右外縁５ａまで切断される。
【０１６３】
その結果、表面側積層フィルム２側は、その中央部は下側凹状切目線１７に沿って切断されるため、下向凹状切断線２５が形成され、裏面側積層フィルム３は、上側の裏面側直線状切目線２２ａ’に沿って切断されるため、当該切目線２２ａ’に沿った直線状切断線２６が形成される（図１４参照）。
【０１６４】
このとき、上記下向凹状切断線２５の最も下部の位置と上記直線状切断線２６との間には、距離Ｐ６の段差が生じているので、その後、使用者は上記距離Ｐ６の段差を利用して、包装袋１を容易に開口することができる。
【０１６５】
また、上辺部１’を手前下方（図８、矢印Ｄ方向）に引いて（力のかかる方向は下方に）開口しており、上記下側凹状切目線１７の線路途中の端部位置１７ａ１，１７ｂ１、１７ａ２，１７ｂ２と、凸状誘導切目線２９の端部２９ａ１，２９ｂ１，２９ａ２，２９ｂ２は狭いけれども間隔が空いているので、下方に力がかかった状態で、下側凹状切目線１７に沿って切断されている途中に、切断線が、上側の凸状誘導切目線２９に移行することはない。
【０１６６】
（第１の実施形態と第２の実施形態の共通の動作）
切断線が上部切目線１０又は下部切目線１１からずれた場合は、左右のＶ字状のＶ字誘導切目線１９，２０により、上部切目線１０又は下部切目線１１に切断線を移行させることができる。また、仮に、裏面側積層フィルム３において、裏面側直線状切目線２２ａ’から切断線が下方にずれたとしても、下部裏面側切目線２２ｂにより受け止めて、水平方向に切断することができる。
【０１６７】
上記各実施形態において、図１又は図８において、左側の上辺部１’を持って左側から右側に開封する場合を説明したが、上記易開封手段９は左右対称に設けられているので、右側の上辺部を持って右側から左側に開封する場合についても（手前側に引く場合も、奥側に押す場合も）、左右が逆になるだけで、基本的な構成は変わらない。
【０１６８】
本発明は以上のように、包装袋１の左の上辺部１’を手前下方に引いて開封する場合（本来、下部切目線１１の下側凹状切目線１７に沿って切断する）、力の入る方向（図１矢印Ａ方向）とは逆方向に配向（図３Ｈ１方向）が入っている場合、或いは配向とは関係なく、包装袋１の内容物が重く、包装袋１の左端部を持ったとき、包装袋１が左方向に傾いた場合（図６参照）、切断線が上部切目線１０の上側凸状切目線１４に移行するが、切断線を途中から、凹状誘導切目線１８に沿って開封することにより、凹状誘導切目線１８の中央部分１８’は、上記裏面側中央部切目線２２ａ’より下側に位置しているので、上記凹状誘導切目線１８の中央部分１８’と上記裏面側中央部切目線２２ａ’との間が段差となる。よって、この段差を利用して容易に開口することができる。尚、手前下方に引いて開封する際、引く方向（表面側積層フィルム）に邪魔な片は存在しないので、円滑に開封することができ、きれいな段差を構成することが可能となる。
【０１６９】
また、凹状誘導切目線１８の左右の線路途中の両端部分１８ａ，１８ｂから複数本の誘導切目線１８１，１８２に枝分かれしており、各誘導切目線１８１，１８２の端部が上側凸条切目線１４に近接しているので、左側から最初に到来する誘導切目線１８１に移行が失敗したとしても、次に到来する誘導切目線１８２に移行することができ、凹状誘導切目線１８への移行のチャンスが複数回（例えば２回）設けられており、凹状誘導切目線１８への移行のチャンスを複数回設けることができる。
【０１７０】
また、包装袋１の左の上辺部１’を奥側上方（図８矢印Ｃ方向）に押して開封する場合（本来、上部切目線１０の上側凸状切目線１４に沿って切断する）、力の入る方向とは逆方向に配向（図１０矢印Ｈ２方向）が入っている場合（図１３参照）、切断線が下部切目線１１の下側凹状切目線１７に移行するが、切断線を途中から、凸状誘導切目線２９に沿って開封することにより、凸状誘導切目線２９の中央部分２９’は、上記裏面側中央部切目線２２ａ’より上側に位置しているので、上記凸状誘導切目線２９の中央部分２９’と上記裏面側中央部切目線２２ａ’との間が段差となる。よって、この段差を利用して容易に開口することができる。尚、奥側上方に押して開封する際、押す方向（裏面側積層フィルム）に邪魔な片は存在しないので、円滑に開封することができ、きれいな段差を構成することが可能となる。
【０１７１】
また、凸状誘導切目線２９の左右の線路途中の両端部分２９ａ，２９ｂから複数本の誘導切目線２９１，２９２に枝分かれしており、各誘導切目線２９１，２９２の端部が下側凹状切目線１７に近接しているので、左側から最初に到来する誘導切目線２９１に移行が失敗したとしても、次に到来する誘導切目線２９２に移行することができ、凸状誘導切目線２９への移行のチャンスが複数回（例えば２回）設けられており、凸状誘導切目線２９への移行のチャンスを複数回設けることができる。
【０１７２】
また、上記切込部２１からの切断線の内側端は裏面側上向切目線２４ａ，２４ｂの線路途中に接しているので、裏面側は配向の方向に拘わらず、切断線は必ず裏面側上向切目線２４ａ，２４ｂに到達するので、裏面側は配向の影響を受けないように構成することができる。
【０１７３】
また、裏面側は直線状の裏面側直線状切目線２２ａ’なので、これに対応する表面側の凹状誘導切目線１８又は凸状誘導部切目線２９により、上辺部を切り離した後、幅の広い段差を構成することができる。
【０１７４】
また、左右の外縁には、下り傾斜の上側両端部切目線１３ａ，１３ｂと、上り傾斜の下側両端部切目線１６ａ，１６ｂにより構成されるので、上下の両端部切目線の間隔が広くなり、例えばその中間位置に切込部２１を形成し易くなる、という利点がある。
【０１７５】
また、切断線が切目線からずれたとしても、Ｖ字誘導切目線１９，２０により、上部切目線１０又は下部切目線１１に切断線を誘導することができるという利点がある。
【０１７６】
また、易開封手段により開封後、再封手段８により再度開閉可能であるため、当初の開封時にきれいな段部を形成しておけば、開封の度に、容易に開封することが可能となる。
【０１７７】
尚、第１の実施形態と第２の実施形態は、主に配向により本来切断すべき切目線とは異なる切目線に切断線が移行した場合を説明したが、この点は、必ずしも配向が原因ではなく、第１の実施形態においても説明したが、包装袋に重い物が入っており、包装袋が傾斜した場合（図１８矢印Ｙ方向）、その他、開封者の力のかけ方の違い、開封方向等、開封者が右利きであるか左利きであるかの違い等、各種の要因が含まれる。
【産業上の利用可能性】
【０１７８】
本発明に係る包装袋によれば、例えば再封可能な包装袋であって、食品、化粧品、医薬品等の包装袋として広く利用が可能である。
【符号の説明】
【０１７９】
１                包装袋
２                表面側積層フィルム
３                裏面側積層フィルム
８                再封手段
９                易開封手段
１０              上部切目線
１１              下部切目線
１２ａ，１２ｂ    上部変曲部
１３ａ，１３ｂ    上側両端部切目線（下向傾斜切目線）
１４              上側凸状切目線
１４ａ１，１４ｂ１  両端部位置（端部位置）
１４ａ２，１４ｂ２  両端部位置（端部位置）
１５ａ，１５ｂ    下部変曲部
１６ａ，１６ｂ    下側両端部切目線（上向傾斜切目線）
１７              下側凹状切目線
１７ａ１，１７ｂ１  両端部位置（端部位置）
１７ａ２，１７ｂ２  両端部位置（端部位置）
１８              凹状誘導切目線
１８’            中央部分
１８ａ，１８ｂ    両端部分
１８１，１８２      誘導切目線
１８ａ１，１８ｂ１  両端部（端部）
１８ａ２，１８ｂ２  両端部（端部）
１９，２０        Ｖ字誘導切目線
２１              Ｉノッチ（切込部）
２２ａ            裏面側切目線
２２ａ’          上部裏面側直線状切目線（裏面側中央部切目線）
２４ａ，２４ｂ    裏面側上向切目線
２９              凸状誘導切目線
２９’            中央部分
２９ａ，２９ｂ    両端部分
２９１，２９２      誘導切目線
２９ａ１，２９ｂ１  両端部（端部）
２９ａ２，２９ｂ２  両端部（端部）
【要約】
【課題】  切断線が配向等の影響によってずれたとしても凹状誘導切目線を設けることにより段差を形成し得る包装袋を提供する。
【解決手段】  表面側積層フィルムの易開封手段は、包装袋の左右外縁より始まり中央が上下に膨れる上部切目線１０と下部切目線１１と、上部切目線１０と下部切目線１１との間に両端部が上側凸状切目線１４の両端部位置に下側から近接し、両端部から下方に膨れる凹状誘導切目線１８を設け、裏面側積層フィルムの易開封手段は、裏面側中央部切目線２２ａ’からなる裏面側切目線により構成され、表面側積層フィルムの凹状誘導切目線１８の中央部分１８’は、裏面側積層フィルムの裏面側中央部切目線２２ａ’より下側に位置するようにして、配向の影響により上側凸状切目線１４に切断線が移行しても凹状誘導切目線１８の方向に切断線を誘導することにより、段差を形成し得るように構成した。
【選択図】  図１【図１】
0006966621.tif 000002
【図２】
0006966621.tif 000003
【図３】
0006966621.tif 000004
【図４】
0006966621.tif 000005
【図５】
0006966621.tif 000006
【図６】
0006966621.tif 000007
【図７】
0006966621.tif 000008
【図８】
0006966621.tif 000009
【図９】
0006966621.tif 000010
【図１０】
0006966621.tif 000011
【図１１】
0006966621.tif 000012
【図１２】
0006966621.tif 000013
【図１３】
0006966621.tif 000014
【図１４】
0006966621.tif 000015
【図１５】
0006966621.tif 000016
【図１６】
0006966621.tif 000017
【図１７】
0006966621.tif 000018
【図１８】
0006966621.tif 000019